(57)【要約】【課題】  発光ダイオード（ＬＥＤ）光源から発した光をデザイン加工された石英材料を透過させることにより、透過光や反射光及び乱反射光からなる美しい明かりに変換した装飾性のある大型の照明用パネルや、壁面からの照明用パネルを提供すること。【解決手段】  鋳込用容器内の鋳物用砂に、複数個のデザイン加工された石英材料の基端部を、所定寸法の長さだけ埋め込んでおき、前記鋳物用砂上に低融点の溶融金属を流し込んで鋳込むことにより、前記石英材料の基端部が所定の長さ貫通した状態で保持された照明用パネルを形成した。【選択図】図１
2015024640.tif 000002
【特許請求の範囲】
【請求項１】
基端部が必要な長さだけ貫通した複数個のデザイン加工された石英材料を保持する低融点の金属からなる板材（パネル）において、前記石英材料の基端部の面からデザイン加工された石英材料を透過して外表面からＬＥＤ発光体の光を出射するか、あるいは、前記石英材料の（基端部の）外表面から入射して他の外表面から出射する光を利用した装飾的な明かりを発する石英透過光照明装置。
【請求項２】
ＬＥＤ発光体の投光方向の先端を、石英材料の平坦な基端部の面に近接して取付けるか、または、平坦な基端部の面に設けた凹部に入り込むように取付けた請求項１に記載の石英透過光照明装置。
【請求項３】
デザイン加工された石英材料の基端部を除く外表面が、３面以上で形成され、しかも前記外表面の少なくとも１面が梨地状面、または研磨面、あるいは破断面（破砕面を含む）からなり、他の面が前記３種類の内のいずれかの面を組合せて構成されている請求項１乃至２に記載の石英透過光照明装置。
【請求項４】
複数個のデザイン加工された石英材料の基端部が貫通したパネルの表側または裏側を、外向きに１枚若しくは少なくとも２枚を組合せた内向きの空間、または、前記パネルの設置面部に１個または２個以上のＬＥＤ発光体を取付けることにより、石英材料に入射したＬＥＤ発光体の光を外表面から出射するようにした請求項１乃至３に記載の石英透過光照明装置。
【請求項５】
パネルと同じ寸法面を有する容器に投入した鋳物用砂に、石英材料の基端部を所定寸法の長さだけ埋め込んだ状態で、表面を固定した前記鋳物用砂の上に、溶融した低融点の金属を流し込むことにより、凝固したパネルに基端部を所定の長さだけ貫通させた請求項１乃至４に記載の石英透過光照明装置の製造方法。
【請求項６】
低融点材料からなるパネルを全体または局部的に加熱溶融させた所定位置に石英材料の基端部または先端部を所定の長さだけ押し込むか貫通させたパネルを用いた請求項１乃至４に記載の石英透過光照明装置の製造方法。
【発明の詳細な説明】
【技術分野】
【０００１】  本発明は、低融点材料の裏面側に所定寸法の長さだけ貫通した石英材料の基端部から出射したＬＥＤ発光体の光が、石英材料の外表面から乱反射光を含めた美しい出射光となった明かりを利用した石英透過光照明装置に関する。
【背景技術】
【０００２】  発光ダイオード（ＬＥＤ）が消費電力の少ない光源として多用されるようになるとともに、ＬＥＤの発する光を装飾的な明かりとして利用する照明装置が開示されている。【０００３】  例えば、透光性のアクリル樹脂で形成したドーナツ状の円筒に等角位に配設したＬＥＤの光を、円筒の底面側の反射板で反射するようにした円筒を積み重ねることにより、透光性を有する円筒内に光が拡散して、周囲の空間に優雅な雰囲気を醸し出すようにして、円筒中央部に花立用の筒を挿入した照明機能を有する装飾体がある（特許文献１）。【０００４】  また、外表面が縦長で、横断面が４角形状の照明器具の内側向きに、長さの異なる複数枚のガラス板を合せた１セットの内向き側先端面をランダムにカットし、ガラス板の基端面を照明器具の外側面側に向けた４セットを配置して、外側面をガラスケースで被い、ランダムにカットしたガラス板の下側端面に取付けたＬＥＤの光をガラス板内で屈折・乱反射を行なわせて装飾用の照明器具としたものがある（特許文献２）。
【先行技術文献】
【特許文献】
【０００５】
【特許文献１】特開２００３−３９８９８
【特許文献２】特開２００６−１２５４３
【発明の概要】
【発明が解決しようとする課題】
【０００６】  これ等従来の装飾性を有する照明装置は、比較的に小型でいずれも縦方向にある程度の高さを有する静置型で、全周囲方向に光を出射する照明装置で、日本古来のぼんぼり的なムードを醸し出す照明で、それぞれ特長を有しているが、大型の照明用パネルや、壁面用照明装置や、アート的な照明装置を形成する用途には適していない。【０００７】  本発明の第１の目的は、１個乃至複数個のＬＥＤ光源の光をデザイン加工した石英材料から出射するパネルを提供することにある。【０００８】  また第２の目的は、１個乃至複数個のＬＥＤ光源の光を美しい光に変換し、しかも壁面用照明に適したパネル及びアート的照明装置を形成するのに適したパネルを提供することにある。
【課題を解決するための手段】
【０００９】  上記課題を解決するため、本発明は以下の手段から構成される。【００１０】  基端部が必要な長さだけ貫通した複数個のデザイン加工された石英材料を保持する低融点の金属からなる板材（パネル）において、前記石英材料の基端部の面からデザイン加工された石英材料を透過して外表面からＬＥＤ発光体の光を出射するか、あるいは、前記石英材料の（基端部の）外表面から入射して他の外表面から出射する光を利用した装飾的な明かりを発する石英透過光照明装置とする。【００１１】  ＬＥＤ発光体の投光方向の先端を、石英材料の平坦な基端部の面に近接して取付けるか、または、平坦な基端部の面に設けた凹部に入り込むように取付けた請求項１に記載の石英透過光照明装置とする。【００１２】  デザイン加工された石英材料の基端部を除く外表面が、３面以上で形成され、しかも前記外表面の少なくとも１面が梨地状面、または研磨面、あるいは破断面（以下、破砕面を含む）からなり、他の面が前記３種類の内のいずれかの面を組合せて構成されている請求項１乃至２に記載の石英透過光照明装置とする。【００１３】  複数個のデザイン加工された石英材料の基端部が貫通したパネルの表側または裏側を、外向きに１枚若しくは少なくとも２枚を組合せた内向きの空間、または、前記パネルの設置面部に１個または２個以上のＬＥＤ発光体を取付けることにより、石英材料に入射したＬＥＤ発光体の光を外表面から出射するようにした請求項１乃至３に記載の石英透過光照明装置とする。【００１４】  パネルと同じ寸法面を有する容器に投入した鋳物用砂に、石英材料の基端部を所定寸法の長さだけ埋め込んだ状態で、表面を固定した前記鋳物用砂の上に、溶融した低融点の金属を流し込むことにより、凝固したパネルに基端部を所定の長さだけ貫通させた請求項１乃至４に記載の石英透過光照明装置の製造方法を採用する。【００１５】  低融点材料からなるパネルを全体または局部的に加熱溶融させた所定位置に石英材料の基端部または先端部を所定の長さだけ押し込むか貫通させたパネルを用いた請求項１乃至４に記載の石英透過光照明装置の製造方法を採用する。
【発明の効果】
【００１６】  １．ＬＥＤ光源の光が、デザイン加工された石英材料の基端面から入射して外表面から反射光及び乱反射光を含めた光として出射するので、美しい明かりを発する照明が得られる。【００１７】  ２．石英材料の梨地状の面から出射する光は、眩しさが緩和されて目に優しい明かりとなる現象を活用できる。【００１８】  ３．石英材料を低融点の材料に複数個貫通させているので、各々の石英材料からそれぞれ異なった出射光が得られる。【００１９】  ４．１個の石英材料の基端面に複数個のＬＥＤ光源を取付けることができるので、明るさが強くて、また複数の美しい出射光が得られる。【００２０】  ５．照明用パネルを１枚のみならず、複数枚組合せて配置することによりアート的な照明装置を構成することができる。【００２１】  ６．パネルを構成する材料が低融点のアルミニウムや銅等で形成できるので、パネル材料自体の光沢を照明装置の美しさの１要素として担わせることができる。【００２２】  ７．銅をパネル材料として用いた場合は、表面を金メッキや銀メッキにより美しい面を形成できるとともに、黒色化処理をして重厚な感じのパネルにすることができる。【００２３】  ８．アルミニウムをパネルとして用いた場合も、黒色のみならず色々なカラーアルマイトによる表面層を形成できるので、黒色の重厚さや種々の色からなるパネルを得ることができる。【００２４】  ９．低融点材料を局部的に加熱溶融して石英材料を押し込むことにより生じた複雑に変形したパネルの両面が美的感覚を与えることにもなる。【００２５】  １０．石英材料は、熱膨張係数が小さいので、アルミニウムや銅の溶融金属と接しても割れないので、本発明のパネルが製作できる。
【図面の簡単な説明】
【００２６】
【図１】  本発明の低融点の金属からなる板材にデザイン加工された石英材料２を配設したパネル１で（ａ）は平面方向の斜視図で、（ｂ）は（ａ）のＸ−Ｘ断面図を示す。
【図２】  デザイン加工された石英材料２の各種形状を示す。（ａ）は、長手方向の外側面が３面で形成されている１例であり、（ｂ）は、長手方向の外側面が４面からなり、その内２面が平坦な面で、他の２面は破断面であることを示す。（ｃ）は、外表面が少なくとも３面からなる多面体の各面が平坦な面で形成されていることを示す。（ｄ）は、長手方向の３面が平坦面で他の１面が破断面からなる４面体を示す。（ｅ）は、長手方向の３面が平坦面で他の２面が破断面からなる５面体を示す。（ｆ）は、３角錐以上の多面錐の頂点部の交差角を鈍角にした１例を示す。（ｇ）は、横断面が多角形からなる多角柱の１例を示す。
【図３】  本発明の石英材料２の基端面部４にＬＥＤ発光体５を取り付ける形態で、（ａ）は基端面部４に近接させ、（ｂ）は基端面部４に設けた凹状部６に挿入した状態を示す。
【図４】  本発明のパネル１をアート（芸術）感覚的に配設テストした１例を示す。
【図５】  本発明の低融点の金属３を鋳込む装置の模式図を示す。
【発明を実施するための形態】
【００２７】  本発明の装飾用石英透過光照明装置の実施の形態を図面に基づいて説明する。
【実施例１】
【００２８】  先ず、図１（ａ）に示す照明装置用パネル１は、デザイン加工された複数個の石英材料２の基端部４を低融点金属３のパネル１に所定寸法だけ貫通させることにより構成されている。【００２９】  この照明装置用パネル１は、図５に示すようにパネル１と同じ大きさ寸法の鋳込用容器９に鋳物用砂１０を投入してデザイン加工された複数の石英材料２の基端部４を所定の深さだけ鋳物用砂１０に埋め込み、鋳物用砂の表面をある程度固定しておき、鋳込みの準備を整えておく。【００３０】  本実施例において、鋳込用容器９の鋳物用砂１０の温度は、常温でも差し支えないが、より好ましくは、低融点金属３の種類に応じて適度の温度に加熱しておくことにより、溶融した金属を鋳込む際に、直ちに凝固することなく、溶融金属の流動性がある程度持続するので、パネル１を形成するのには好都合である。【００３１】  具体的には、低融点の金属３としてアルミニウムを用いた場合は、鋳込用装置全体の温度を４５０℃程度に加熱した状態で溶融したアルミニウムを鋳込むことにより、アルミニウムからなるパネル１を作製した。【００３２】  なお、この流し込みの際に、石英材料２が貫通した状態でパネル１と接する部分に凹部を設けることにより、照明用パネル１を取扱い中に脱落しないようにすることができる。【００３３】  なおまた、本発明における低融点合金３としては、アルミニウムや銅のみならず、マグネシウム、錫、鉛や亜鉛等々の単独または、これらの合金を含むものである。例えば、半田や真鍮や青銅や黄銅やＰｂ−２．５％Ａｇ及びＰｂ−１３％Ｓｂ合金等が好適にパネル１の材料として利用できる。
【実施例２】
【００３４】  低融点の金属３からなるアルミニウム製で厚みが７ｍｍの板材３を調達し、所定の位置をガスバーナーで局部的に溶融状態になるまで加熱し、デザイン加工された石英材料２を基端部４の方から溶融状態の部分に押し込むことにより、基端部４が所定寸法貫通したパネル１を得た。【００３５】  なお、デザイン加工された石英材料２を基端部４から押し込む際に、加熱溶融温度がアルミニウムの融点に近い場合は、板材３が押し込み圧力によって変形するとともに前記基端部４の近辺にアルミニウムの凝固した膜が固着する頻度が多くなる。逆に、加熱溶融温度が融点よりもかなり高い場合は、アルミニウムの凝固した膜の固着現象は少なくなる。【００３６】  また、局部加熱した部分に、デザイン加工された石英材料２の尖った形状を有する方から押し込む方法を採用すれば、アルミニウムの膜が固着する現象は少なくなる。【００３７】  いずれにしても、本発明の照明用パネル１は、装飾的な役割も担っているので、上述の低融点金属３の変形や凝固した固着膜は、美的な１要素としての価値を有している。【００３８】  一方、低融点の金属３として、銅板を用いた場合も、上述のアルミニウム板材を用いたのとほとんど同様の実施結果が得られた。【００３９】  ところで、デザイン加工された石英材料２の破断面からなるエッヂや鋭利な稜線及び尖った先端等々は、取扱い中は元より装飾的な照明装置として使用する際に怪我をしないように面取り加工を行なっておくのが安全で好ましい。
【実施例３】
【００４０】  低融点の金属３として銅板を用いてパネル１を作製し、次いで無電解メッキ法によってニッケル（Ｎｉ）メッキした後、黒色化処理を行なうことにより、透明な石英材料２を貫通保持した黒色のパネル１を得ることができた。【００４１】  この黒色のパネル１を装飾用として用いた場合は、黒色の重厚な面に配設したデザイン加工された石英材料２から、ＬＥＤ発光体５の光を乱反射光を含めた光として出射するので、特に際立った美しい照明装置が得られた。【００４２】  また、銅板からなるパネル１には、金メッキや銀メッキを施すことができ、このパネル１を用いることにより豪華な印象を与える照明装置を形成することができた。【００４３】  一方、低融点の金属３としてアルミニウム板材を用いる場合も、無電解メッキにより黒色膜を形成したり、カラフルなアルマイト処理膜が形成できるので、銅を用いたパネル１と同様に、それぞれの装飾照明用途に適した使い分けをすることができる。【００４４】  なお、デザイン加工された石英材料２として、図２に各種の形状を例示したが、その他の外観及び形状からなる石英材料も本発明の技術思想から外れるものではない。
【産業上の利用可能性】
【００４５】  本発明の石英透過光照明装置は、大型の照明用パネルや壁面用照明装置及びアート的な照明装置用として利用可能である。
【符号の説明】
【００４６】      １    パネル、照明用パネル
２    デザイン加工された石英材料
３    低融点の金属、板材
４    基端面、基端部
５    ＬＥＤ発光体
６    凹部状
７    パネルの表面側
８    パネルの裏面側
９    溶融金属の鋳込用容器
１０    鋳物用砂
【図１】
2015024640.tif 000003
【図２】
2015024640.tif 000004
【図３】
2015024640.tif 000005
【図４】
2015024640.tif 000006
【図５】
2015024640.tif 000007